(57)【特許請求の範囲】
【請求項１】
内容物を収容した容器本体の口部に装着される有頂筒状の装着キャップと、
前記装着キャップに上方付勢状態で下方移動可能に貫設されたステムを有する吐出器本体と、
前記ステムの上端部に固定されると共に内容物を吐出する吐出孔が形成された押下ヘッドと、
前記装着キャップに該装着キャップの周方向に沿って延在する収容管状体と、
前記収容管状体に出没自在に収容されたストラップ体と、を備え、
前記ストラップ体の両端部のうち少なくとも一方が、前記収容管状体から露出すると共に前記収容管状体に沿ってスライド自在な操作片に連結されており、前記操作片のスライドに伴って前記ストラップ体のうち両端部を除く少なくとも一部が前記収容管状体に対して出没することを特徴とする吐出器。
【請求項２】
前記ストラップ体の一端部が前記操作片に連結され、他端部が前記収容管状体に対して固定されていることを特徴とする請求項１に記載の吐出器。
【発明の詳細な説明】
【技術分野】
【０００１】
本発明は、吐出器に関する。
【背景技術】
【０００２】
従来から、吐出器として、内容物を収容した容器本体の口部に装着される有頂筒状の装着キャップと、装着キャップに上方付勢状態で下方移動可能に貫設されたステムを有する吐出器本体と、ステムの上端部に固定されると共に内容物を吐出する吐出孔が形成された押下ヘッドと、を備えるものが提案されている（例えば、特許文献１参照）。
【先行技術文献】
【特許文献】
【０００３】
【特許文献１】特開平９−１２０５０号公報
【発明の概要】
【発明が解決しようとする課題】
【０００４】
しかしながら、このような吐出器では、吐出時に吐出器またはこの吐出器を取りつけた容器本体が手から滑落することを抑制することについて、改善の余地があった。
【０００５】
本発明は、前述の課題に鑑みてなされたもので、使用者が手を滑らせても吐出器または吐出器を取り付けた容器本体の落下を防止できる吐出器を提供することを目的とする。
【課題を解決するための手段】
【０００６】
本発明は、上記のような課題を解決するために以下のような手段を採用した。すなわち、本発明の吐出器は、内容物を収容した容器本体の口部に装着される有頂筒状の装着キャップと、前記装着キャップに上方付勢状態で下方移動可能に貫設されたステムを有する吐出器本体と、前記ステムの上端部に固定されると共に内容物を吐出する吐出孔が形成された押下ヘッドと、前記装着キャップに該装着キャップの周方向に沿って延在する収容管状体と、前記収容管状体に出没自在に収容されたストラップ体と、を備え、前記ストラップ体の両端部のうち少なくとも一方が、前記収容管状体から露出すると共に前記収容管状体に沿ってスライド自在な操作片に連結されており、前記操作片のスライドに伴って前記ストラップ体のうち両端部を除く少なくとも一部が前記収容管状体に対して出没することを特徴とする。
【０００７】
この発明では、収容管状体に出没自在に収容されたストラップ体を繰り出すことによってストラップ体と装着キャップの外面との間に画定された空間に指などを掛けることで、使用時に吐出器が落下することを防止できる。ストラップ体を使用する際には、操作片を収容管状体に沿ってスライドさせると、操作片に連結されているストラップ体の端部が容器本体の外部に向けて移動され、この移動に伴ってストラップ体が収容管状体の外部に繰り出され、ストラップ体と装着キャップの外面との間に上記空間が画定される。そして、操作片を逆方向にスライドさせると、上述とは逆に、ストラップ体のうち繰り出された部分が収容管状体内に収容される。このように、操作片を収容管状体に沿ってスライドさせることでストラップ体を出没させることができるので、不使用時における吐出器の取扱性を維持しつつストラップ体の操作性を向上させることができる。
【０００８】
また、本発明の吐出器では、前記ストラップ体の一端部が前記操作片に連結され、他端部が前記収容管状体に対して固定されていてもよい。
この場合では、ストラップ体の一端部のみを収容管状体に対してスライドさせるため、吐出器の構成が簡略化される。
【発明の効果】
【０００９】
この発明にかかる吐出器によれば、ストラップ体を繰り出してストラップ体と装着キャップの外面との間に画定された空間に指などを掛けることによって、使用時に吐出器が落下することを防止できると共に、不使用時における吐出器の取扱性を維持しつつストラップ体の操作性を向上させることができる。
【図面の簡単な説明】
【００１０】
【図１】本発明の一実施形態における吐出器を示す軸方向断面図である。
【図２】図１の収容管状体及びストラップ体を示す断面図である。
【図３】図１の収容管状体及びストラップ体を示す平面図である。
【図４】図２の環状底部を示す平面図である。
【発明を実施するための形態】
【００１１】
以下、本発明における吐出器の一実施形態を、図面に基づいて説明する。なお、以下の説明に用いる各図面では、各部材を認識可能な大きさとするために縮尺を適宜変更している。
【００１２】
本実施形態における吐出器１は、図１に示すように、有底筒状の容器本体２の口部３に装着される吐出ポンプであって、容器本体２の口部３に装着される有頂円筒状の装着キャップ４と、装着キャップ４に上方付勢状態で下方移動可能に貫設された円筒状のステム２１を有するポンプ（吐出器本体）５と、ステム２１の上端に円筒状の継手部材６を介して装着されると共に外部とステム２１の内側とを連通させる噴霧孔（吐出孔）４９Ｂが形成された押下ヘッド７と、装着キャップ４の外周面に取り付けられた平面視で円環状の収容管状体８と、収容管状体８内に出没自在に収容されるストラップ体９と、を備えている。
ここで、容器本体２、装着キャップ４、ステム２１、継手部材６及び収容管状体８それぞれの中心軸は、共通軸上に位置している。以下、この共通軸を中心軸Ｏとし、中心軸Ｏに沿って押下ヘッド７側を上側、容器本体２側を下側と称し、中心軸Ｏに直交する方向を径方向、中心軸Ｏ回りの方向を周方向と称する。
【００１３】
装着キャップ４は、中央部に円形の開口部が形成された平面視で円環板状の天壁部１１と、天壁部１１の外周縁から下方に向けて突設された円筒状の周壁部１２と、天壁部１１の内縁部から上方に向けて突設された案内筒部１３と、案内筒部１３よりも径方向外方において天壁部１１から上方に向けて突設された外筒部１４と、を有する。
周壁部１２の内周面には、容器本体２の口部３に形成された雄ネジ部と螺合する雌ネジ部が形成されている。また、周壁部１２の上端部は、他の部分よりも径方向内方に陥没しており、収容管状体８が取り付けられる取付段部１５となっている。この取付段部１５の下端部の外周面には、径方向内方に向けて陥没する係合溝部１５Ａ（図２参照）が全周にわたって形成されており、取付段部１５の上端部は、径方向内方に向けてさらに陥没している。
なお、装着キャップ４には、オーバーキャップ１６が被着されている。
【００１４】
ポンプ５は、装着キャップ４に上方付勢状態で下方移動可能に貫設されたステム２１と、内部にステム２１の下端部が上下動自在に配設された円筒状のシリンダ２２と、シリンダ２２の内部に上下摺動自在に配設されたピストン（図示略）と、ステム２１を上方に付勢する付勢部材（図示略）と、を有する。
ステム２１の上部は、シリンダ２２の上端から上方に突出し、かつ装着キャップ４の案内筒部１３内に配設されている。また、ステム２１の上端部は、案内筒部１３の上端から上方に突出している。さらに、ステム２１の上端部には、径方向外方に突設されており、継手部材６の内周面に摺接する摺接部２３が設けられている。
【００１５】
シリンダ２２の上端には、全周にわたってフランジ部２２Ａが径方向外方に向けて突設されており、このフランジ部２２Ａは、装着キャップ４の天壁部１１の下面と容器本体２の口部３の開口端縁上にあるパッキン２４とによって上下方向で挟み込まれている。シリンダ２２の下端部内には、パイプ２５の上端部が嵌合されており、このパイプ２５の下端開口部が容器本体２内の底部に位置している。
【００１６】
継手部材６は、平面視で円環状の天板部３１と、天板部３１の外周縁から下方に向けて突設された円筒状の下筒部３２と、天板部３１の外周縁から上方に向けて突設された円筒状の上筒部３３と、上筒部３３よりも径方向内方において天壁部１１から上方に向けて突設された円筒状の内筒部３４と、を有する。下筒部３２の内側には、ステム２１の摺接部２３が上下方向に摺動可能に嵌入されている。
【００１７】
押下ヘッド７は、頂壁部４１と、頂壁部４１の中央部から下方に向けて突設された円筒状の連通筒部４２と、頂壁部４１の外周縁から下方に向けて突設されたヘッド筒部４３と、内容物を外部に向けて噴霧する噴霧部４４と、を有する。
連通筒部４２は、継手部材６の上筒部３３よりも径方向内方に配設されており、連通筒部４２の内側には、継手部材６の内筒部３４が嵌合されている。この連通筒部４２の内部は、継手部材６を介してステム２１内と連通しており、容器本体２内の内容物が流通する。
【００１８】
噴霧部４４は、連通筒部４２の外周面とヘッド筒部４３の内周面との間に介在する円筒状の外壁部４５と、外壁部４５の内側において連通筒部４２の上端部から径方向外方に向けて突設された円柱状の芯部４６と、を有する。
外壁部４５は、上部が押下ヘッド７の頂壁部４１によって形成されており、押下ヘッド７と一体に形成されている。また、外壁部４５の基端部（連通筒部４２側の端部）は、連通筒部４２の内部に向けて開口しており、外壁部４５の先端部（押下ヘッド７の径方向外方側の端部）は、ヘッド筒部４３の外部に向けて開口している。
【００１９】
芯部４６の基端部（連通筒部４２側の端部）は、外壁部４５と同軸上に配設されており、芯部４６の外周面には、芯部４６の長手方向に沿って延在する凹溝４６Ａが形成されている。また、芯部４６の先端部（押下ヘッド７の径方向外方側の端部）には、有頂円筒状の噴霧キャップ４７が被着されている。
噴霧キャップ４７は、芯部４６と同軸上に配設されており、芯部４６の外周面に設けられた円筒状のキャップ筒部４８と、キャップ筒部４８の先端部（押下ヘッド７の径方向外方側の端部）に設けられた端壁部４９と、を有する。
キャップ筒部４８は、外壁部４５の内周面に嵌合されており、端壁部４９は、芯部４６の先端面に当接している。端壁部４９のうち芯部４６の先端面に当接する面には、芯部４６の凹溝４６Ａに連通するスピン流路４９Ａが形成されている。また、端壁部４９の中央部分には、スピン流路４９Ａに連通する噴霧孔４９Ｂが形成されている。
【００２０】
収容管状体８は、図１から図３に示すように、平面視で円環状の環状底部５１と断面逆Ｌ字状をなす環状壁部５２とを有し、収容管状体８には、径方向外方に向けて開口する縦断面視でＣ字状の収容溝部８Ａが周方向で形成されている。
環状底部５１は、装着キャップ４の周壁部１２における取付段部１５上に載置されている。また、環状底部５１の内周縁には、図４に示すように、径方向外方に向けて陥没する複数（本実施形態では４つ）の取付凹部５１Ａが周方向で間隔をあけて形成されている。さらに、環状底部５１の外周縁は、図１及び図２に示すように、収容溝部８Ａ内に収容されているストラップ体９が容易に収容溝部８Ａから離脱することを防止するために、全周にわたって上方に向けて突出している。
【００２１】
環状壁部５２は、図２及び図３に示すように、平面視で円環状の環状頂部５３と、環状頂部５３の内縁部から下方に向けて延在し、環状壁部５２と環状底部５１とを連結する円筒状の連結筒部５４と、を有する。
環状頂部５３の内縁部は、連結筒部５４よりも径方向内方に向けて突出しており、周壁部１２における取付段部１５の上端と係合している。また、環状頂部５３の外周縁は、図１及び図２に示すように、収容溝部８Ａ内に収容されているストラップ体９が容易に収容溝部８Ａから離脱することを防止するために、全周にわたって下方に向けて突出している。
【００２２】
連結筒部５４は、装着キャップ４の周壁部１２における取付段部１５の外周面に沿って配設されている。連結筒部５４のうち周方向の一部（例えば、押下ヘッド７の周方向位置が固定される場合において、平面視で噴霧孔４９Ｂと周方向で対応する位置）には、図３に示すように、径方向外方に向けて突出する係止部５５が設けられている。係止部５５は、環状壁部５２と一体に形成されており、後述する操作片６１と周方向で係合することによって操作片６１の周方向の移動を規制する。このように、環状底部５１及び環状壁部５２によって収容溝部８Ａが画定される。
連結筒部５４の外周面には、径方向内方に向けて陥没すると共に、後述する操作片６１の被着筒部６２の周方向のスライド移動を案内する一対のスライド溝部５４Ａが形成されている。スライド溝部５４Ａは、係止部５５の周方向端部を起点として図３（ａ）における時計回り及び反時計回り双方において周方向で約９０°ずらした位置まで延在しており、収容溝部８Ａと連通している。
【００２３】
連結筒部５４の下端部には、下方に向けて突出する複数（本実施形態では４つ）の取付突出部５４Ｂが周方向で間隔をあけて形成されており、この取付突出部５４Ｂは、図１に示すように、環状底部５１の取付凹部５１Ａ（図１及び図４参照）と係合することによって環状壁部５２を環状底部５１に固定している。また、取付突出部５４Ｂには、係合溝部１５Ａと係合する係合突出部５４Ｃが径方向内方に向けて突設されている。
【００２４】
ストラップ体９は、図３に示すように、断面円形状をなす弾性を有する紐状部材であり、平面視Ｃ字状をなしている。そして、ストラップ体９は、全長にわたって収容管状体８の収容溝部８Ａ内に収容されている。ストラップ体９の両端部それぞれには、収容溝部８Ａを介して装着キャップ４の外部に露出する操作片６１が被着されている。
操作片６１は、図２及び図３に示すように、ストラップ体９の端部に被着、固定される円筒状の被着筒部６２と、収容溝部８Ａに沿って周方向にスライドするスライド部６３と、収容溝部８Ａを介して被着筒部６２とスライド部６３とを連結する連結部６４と、を有する。一方の操作片６１は、収容溝部８Ａの周方向の一端部に位置しており、他方の操作片６１は、収容溝部８Ａの周方向の他端部に位置している。
被着筒部６２は、スライド溝部５４Ａに沿って周方向で案内され、スライド溝部５４Ａの周方向端部において周方向の移動が規制される。
【００２５】
次に、以上のような構成の吐出器１の使用方法について説明する。まず、吐出器１を使用しない状態では、図３（ａ）に示すように、一対の操作片６１それぞれが収容溝部８Ａの周方向両端部に位置しており、ストラップ体９全体が収容溝部８Ａ内に収容されている。
【００２６】
吐出器１を使用する際には、まず、収容管状体８からストラップ体９を繰り出す。ここでは、一対の操作片６１それぞれを互いに離間するようにスライド溝部５４Ａに沿って周方向でスライドさせる。操作片６１を周方向で移動させると、操作片６１に接続されているストラップ体９の両端部も操作片６１と共に周方向で移動する。そして、ストラップ体９は、操作片６１を周方向で移動させるにしたがって、例えば長手方向中央部から両端部にかけて順に収容溝部８Ａから収容管状体８の外部に繰り出される。その後、操作片６１をスライド溝部５４Ａの周方向端部までスライドさせると、スライド溝部５４Ａの周方向端壁によって被着筒部６２の周方向でのさらなる移動が規制される。これにより、ストラップ体９と収容管状体８との間に例えば指などを掛ける空間が画定される。
【００２７】
次に、オーバーキャップ１６を取り外して押下ヘッド７を露出させる。押下ヘッド７を押し下げると、ステム２１が下方に向けて移動させられる。そして、ステム２１の移動に追従して上記ピストン部材がシリンダ２２の内周面に摺接しつつ下方に移動する。これにより、シリンダ２２内の内容物が圧縮され、この圧縮されたシリンダ２２内の内容物は、ステム２１内に進入してステム２１内及び継手部材６内を上方に向けて移動し、押下ヘッド７内に流入する。そして、内容物は、図１に示す噴霧部４４の凹溝４６Ａを通ってスピン流路４９Ａ内に流入し、スピン流路４９Ａで渦状に流通した後、噴霧孔４９Ｂから噴霧される。
【００２８】
その後、押下ヘッド７の押し下げを解除すると、上記ピストン部材が上記付勢部材の上方付勢力によってシリンダ２２の内周面に摺接しつつ上方に向けて復元移動する。これにより、シリンダ２２内が減圧され、容器本体２内に収容されている内容物がパイプ２５を通じてシリンダ２２内に吸い上げられる。
このようにして、内容物を適宜噴霧した後、オーバーキャップ１６を再度被着する。
【００２９】
続いて、ストラップ体９を収容管状体８内に収容する。ここでは、上述とは逆に、一対の操作片６１をスライド溝部５４Ａに沿って互いが接近するように周方向でスライドさせ、操作片６１に接続されているストラップ体９の両端部を互いに近接するように周方向で移動させる。ストラップ体９は、ストラップ体９の両端部が周方向で移動するにしたがって、両端部それぞれに近接する部分から順に収容溝部８Ａに収容される。これにより、ストラップ体９全体は、収容管状体８内に収容される。
なお、ストラップ体９を繰り出してからオーバーキャップ１６を取り外しているが、オーバーキャップ１６を取り外してからストラップ体９を繰り出してもよく、ストラップ体９を収容してからオーバーキャップ１６を被着させてもよい。
【００３０】
以上のような構成の吐出器１によれば、ストラップ体９を収容管状体８から繰り出してストラップ体９と装着キャップ４との間に画定された空間に指などを掛けることで、使用時における吐出器１の落下を防止できる。また、ストラップ体９を収容管状体８に対して出没するので、不使用時における吐出器１の取扱性を維持しつつストラップ体９の操作性を向上させることができる。さらに、収容管状体８を装着キャップ４に取りつけるだけなので、吐出器１の構成を複雑化することなく吐出器１の落下を防止する機能を付与できる。
【００３１】
なお、本発明は上記実施形態に限定されるものではなく、本発明の趣旨を逸脱しない範囲において種々の変更を加えることができる。
例えば、吐出器は、内容物を噴霧する構成となっているが、内容物を霧状とせずに吐出させる構成や内容物を泡状に吐出する構成など、内容物を外部に吐出できれば、他の構成であってもよい。
吐出器本体は、吐出ポンプの構成となっているが、いわゆるエアゾール機構など、他の構造であってもよい。
【００３２】
収容管状体は、平面視で円環状をなして装着キャップの全周にわたって取り付けられているが、平面視でＣ字状をなすなど、装着キャップの全周にわたって取り付けられていなくてもよく、装着キャップの天壁部に取り付けられてもよい。
収容溝部は、径方向外方に向けて開口しているが、収容管状体の外部に向けて開口していればよく、上方や下方に向けて開口していてもよい。
収容管状体は、環状底部と環状壁部とを連結した構成となっているが、環状底部と環状壁部とを一体成形してもよい。また、収容管状体を装着キャップと別体としているが、収容管状体と装着キャップとを一体としてもよく、例えば環状底部のみを装着キャップと一体としてもよい。同様に、ストラップ体の両端部の少なくとも一方に操作片を被着、固定しているが、ストラップ体と操作片とを一体成形してもよい。
収容管状体には係止部が形成されており、これにより平面視でＣ字状の収容溝部が形成されているが、係止部を形成せずに、収容管状体の全周にわたって収容溝部を形成してもよい。
【００３３】
ストラップ体の両端部に操作片を設けているが、少なくとも一端部に操作片が設けられていればよく、操作片を設けない端部を収容管状体に固定してもよい。ストラップ体の一端部を収容管状体に固定することで、ストラップ体の一端部のみを収容管状体に対してスライドさせるので、吐出器の構成が簡略化される。
ストラップ体は、紐状に限らず、帯状など、他の形状をなしてもよい。また、ストラップ体は、少なくとも一部が収容管状体内に収容されればよい。この場合、ストラップ体のうち収容管状体内に収容されない部分は、収容管状体に近接または当接していることが好ましい。
ストラップ体及び操作片の配設位置は、上述した実施形態に限らず、他の部分であってもよく、ストラップ体を複数配設してもよい。
【００３４】
ストラップ体を収容管状体に収容する収容位置と収容管状体に対するストラップ体の繰出量が最大になる繰出位置とのそれぞれにおいて操作片を位置決めすることを容易にするため、例えば操作片と収容管状体とに収容位置と繰出位置とのそれぞれにおいて係合する係脱可能な各種係止手段を設けてもよい。同様に、収容位置と繰出位置との間で操作片を位置決めしてストラップ体の繰出量の調整を容易にするため、例えば操作片や収容管状体に上記係止手段を複数設けてもよい。
オーバーキャップは、収容管状体を露出させるように装着キャップに被着されているが、収容管状体を覆うように装着キャップに被着されてもよい。これにより、操作片が外部に露出しないため、操作片を誤動作させることを防止できる。
【産業上の利用可能性】
【００３５】
この発明によれば、使用者が手を滑らせても吐出器または吐出器を取り付けた容器本体の落下を防止できる吐出器に関して、産業上の利用可能性が認められる。
【符号の説明】
【００３６】
１  吐出器、２  容器本体、３  口部、４  装着キャップ、５  ポンプ（吐出器本体）、７  押下ヘッド、８  収容管状体、８Ａ  収容溝部、９  ストラップ体、２１  ステム、４９Ｂ  噴霧孔（吐出孔）、６１  操作片
【図１】
0005677228.tif 000002
【図２】
0005677228.tif 000003
【図３】
0005677228.tif 000004
【図４】
0005677228.tif 000005